(57)【特許請求の範囲】
【請求項１】
一対のリム部、前記両リム部の内縁部を連結するブリッジ部、前記両リム部の外縁部に形成される鎧部、及び前記鎧部に蝶番を介して取付けられるテンプルを備えた眼鏡フレームであって、
前記リム部、前記ブリッジ部及び前記鎧部が、一枚の板状の金属材から一体に形成され、かつ、
前記ブリッジ部が、外側に湾曲する湾曲部を備え、前記鎧部が、内側に湾曲する湾曲部を備え、
内側に湾曲する前記湾曲部が、前記リム部に対して略垂直に折り曲げられてなることを特徴とする眼鏡フレーム。
【請求項２】
前記テンプルが板状の金属材で形成され、前記蝶番で連結される前記テンプルの端部断面と前記鎧部の端部断面とが、合致するように形成されていることを特徴とする請求項１に記載の眼鏡フレーム。
【請求項３】
前記テンプルが、段差により区分される前半部と後半部とを備え、前記後半部が、前記前半部よりも内側に位置することを特徴とする請求項１又は２に記載の眼鏡フレーム。
【発明の詳細な説明】
【技術分野】
【０００１】
本発明は眼鏡フレームに関し、特に、部品点数が少なく、各部品の構造が簡単であり、各部品及び全体の製作が簡単な眼鏡フレームに関する。
【背景技術】
【０００２】
眼鏡フレームには様々なタイプのものがある。例えば、特許文献１に記載された眼鏡フレーム１１０は、図５に示すように、一対の環状のリム１２０と、両リムの内縁部間を連結するブリッジ１３０と、両リム１２０の外縁部に設けられる鎧部１４０と、この鎧部１４０に蝶番１５０を介して回動自在に連結されるテンプル１６０とを備えている。
【０００３】
また、特許文献１に記載された眼鏡フレーム１１０は、眼鏡フレーム１１０を顔面の所定の位置に保持するために、鎧部１４０が内方に湾曲したばね部材１４１を備えている。そして、そのばね力によってテンプル１６０が内側に付勢されるようになっている。
【０００４】
しかしながら、特許文献１に記載された眼鏡フレーム１１０は、各部品が夫々個別に製造されるために、製造及び組立てに手間がかかり、コストが高くなるという問題点がある。特に、内方に湾曲したばね部材１４１を備える鎧部１４０の構造は、リム１２０の外縁部との取付け関係や、蝶番１５０との取付け関係から複雑で手間のかかるものとなっている。また、デザインの面からは、やや単調な感じとなっている。
【特許文献１】特開２００６−１７８８７号公報
【発明の開示】
【発明が解決しようとする課題】
【０００５】
本発明は上記の課題を解決したものであり、多くの部品を出来る限り一括して製造することが可能であり、製造及び組立てを単純にすることができる眼鏡フレームを提供することを目的とする。また、顔面の所定の位置に保持するために、テンプルが内側に付勢される眼鏡フレームを提供することを目的とする。また、デザイン的にも好ましい眼鏡フレームを提供することを目的とする。
【課題を解決するための手段】
【０００６】
上記の課題を解決するために、本発明の請求項１に係る眼鏡フレームは、一対のリム部、前記両リム部の内縁部を連結するブリッジ部、前記両リム部の外縁部に形成される鎧部、及び前記鎧部に蝶番を介して取付けられるテンプルを備えた眼鏡フレームであって、前記リム部、前記ブリッジ部及び前記鎧部が、一枚の板状の金属材から一体に形成され、かつ、前記ブリッジ部が、外側に湾曲する湾曲部を備え、前記鎧部が、内側に湾曲する湾曲部を備え、内側に湾曲する前記湾曲部が、前記リム部に対して略垂直に折り曲げられてなる手段を採用している。
【０００７】
また、本発明の請求項２に係る眼鏡フレームは、前記テンプルが板状の金属材で形成され、前記蝶番で連結される前記テンプルの端部断面と前記鎧部の端部断面とが、合致するように形成されている手段を採用している。
また、本発明の請求項３に係る眼鏡フレームは、前記テンプルが、段差により区分される前半部と後半部とを備え、前記後半部が、前記前半部よりも内側に位置する手段を採用している。
【発明の効果】
【０００８】
本発明の眼鏡フレームは上記の手段を採用することにより、構造が極めて簡単であり、製造、組立てを容易にすることができるので、安価なコストに抑えることができる。また、テンプルが内側に付勢され、顔面の所定の位置に保持することができる。また、意匠性の高いスマートなデザインとすることができる。
【発明を実施するための最良の形態】
【０００９】
以下、図面に示す本発明の実施の形態について説明する。
図１〜図４には、本発明による眼鏡フレームの一実施の形態が示されていて、図１は眼鏡フレーム全体を示す斜視図、図２は眼鏡フレーム全体を示す平面図、図３は眼鏡フレームの正面図及び裏面図、図４は鎧部の斜視図である。なお、この実施の形態においては一対のリム部を板状の金属材で形成してある。
【００１０】
本発明の眼鏡フレーム１０は、一対のリム部２０、両リム部２０の内縁部を連結するブリッジ部３０、両リム部２０の外縁部に形成される鎧部４０、及び鎧部に蝶番５０を介して取付けられるテンプル６０を備えている。そして、本発明の眼鏡フレーム１０は、リム部２０及び鎧部４０が、板状の金属材で一体に形成されているが、板状の金属材ではなくて一対のリム部２０を樹脂製としても良い。
【００１１】
なお、金属材は、特に限定されないが、見栄えが良くて人肌に優しい材料とすることが好ましく、また、後述する湾曲部４１のばね力によって、テンプル６０に付勢力を与えるために、適当な弾性を備えていることが好ましい。また、その厚みも特に限定されないが、０．５ｍｍ程度とすることが好ましい。
【００１２】
リム部２０、ブリッジ部３０及び鎧部４０は、板材から打抜き加工によって形成されることが好ましい。リム部２０、ブリッジ部３０及び鎧部４０は、夫々個別に打抜いた後に、溶接により一体に形成することもできる。しかし、リム部２０、ブリッジ部３０及び鎧部４０は、一枚の金属製の板材から一体に打抜くことが好ましい。これによって、各部品の製造を著しく簡略化することができる。
【００１３】
また、リム部２０、ブリッジ部３０及び鎧部４０は、打抜き加工の後に、プレス等により曲げ加工を行うことが好ましい。これによって、ブリッジ部３０の曲りや鎧部４０の曲りを形成することができる。また、打抜き加工と同様に、これらの部品の製造を著しく簡略化することができる。
【００１４】
リム部２０の内縁部にはノーズパッド２１を取付けることが好ましい。また、リム部２０のブリッジ部３０付近に、眼鏡フレーム１０の強度を高めるために、又はデザインとして、適宜補強材２２を設けることもできる。また、リム部２０には、レンズを保持するための保持部材２３を適宜設けることが好ましい。
【００１５】
鎧部４０は、内側に湾曲する湾曲部４１を備えていることが好ましい。これによって、湾曲部４１にばね力が与えられ、テンプル６０が内側に付勢されることになる。湾曲部４１は、曲げ加工で形成することが可能であり、簡単に形成することができる。また、眼鏡フレーム１０全体を、意匠性の高いスマートなデザインとすることができる。
【００１６】
テンプル６０は、板状の金属材で形成されることが好ましい。そして、リム部２０等と同一厚みの同一金属材とすることも好ましいことである。また、蝶番５０で連結されるテンプル６０の端部断面と鎧部４０の端部断面は、互いに合致するように形成されていることが好ましい。これにより、鎧部４０とテンプル６０とが一体となって見えることになり、デザイン的にも優れた眼鏡フレーム１０とすることができる。
【００１７】
テンプル６０の端部断面と鎧部４０の端部断面が、互いに合致するように形成されていることは、製作の上からも非常に好ましい。テンプル６０の端部と鎧部４０の端部に、別途用意した蝶番５０を溶接等で取付ける簡単な作業で、組立てることができるからである。
【００１８】
テンプル６０は、段差６１により区分される前半部６２と後半部６３を備え、後半部６３が前半部６２よりも内側に位置することが好ましい。特に、鎧部４０が内側に湾曲する湾曲部４１を備えている場合には、湾曲部４１の寸法分だけ、テンプル６０が外側に位置するようになるので、これを打ち消すことができる。また、これによって一層確実に、眼鏡フレーム１０を顔面の所定の位置に保持することができる。また、デザイン的にも優れた眼鏡フレーム１０とすることができる。そして、リム部２０は金属製または樹脂製とすることができて、デザインに応じて材質を選択することができる。
【図面の簡単な説明】
【００１９】
【図１】本発明の眼鏡フレームの一例を示す概略全体斜視図である。
【図２】図１に示す眼鏡フレームの概略全体平面図である。
【図３】図１に示す眼鏡フレームの概略正面図及び概略裏面図である。
【図４】鎧部の斜視図を示す概略図である。
【図５】従来の眼鏡フレームの一例を示す概略斜視図である。
【符号の説明】
【００２０】
１０、１１０……眼鏡フレーム
２０……リム部
２１……ノーズパッド
２２……補強材
２３……保持部材
３０……ブリッジ部
４０、１４０……鎧部
４１……湾曲部
５０、１５０……蝶番
６０、１６０……テンプル
６１……段差
６２……前半部
６３……後半部
１２０……リム
１３０……ブリッジ
１４１……ばね部材
【図１】
0005143485.tif 000002
【図２】
0005143485.tif 000003
【図３】
0005143485.tif 000004
【図４】
0005143485.tif 000005
【図５】
0005143485.tif 000006